(57)【要約】【課題】  仮焼炉を安定して運転することができ、仮焼炉、延いてはセメント製造工程の稼働率を向上させて、コスト低減を実現することができる流動式仮焼炉及びその残渣排出方法を提供する。【解決手段】  炉１内に燃料及び空気を供給してセメント原料を仮焼成する流動式仮焼炉において、炉内の残渣Ｚを外部に排出する排出口７を、当該炉内の下部に開口させて設けた。これにより、流動式仮焼炉の運転中に移動する残渣を排出口７から炉外に排出することができる。【選択図】  図１
2015089857.tif 000002
【特許請求の範囲】
【請求項１】
炉内に燃料及び空気を供給してセメント原料を仮焼成する流動式仮焼炉において、
炉内の残渣を外部に排出する排出口を、当該炉内の下部に開口させて設けたことを特徴とする流動式仮焼炉。
【請求項２】
請求項１に記載の流動式仮焼炉において、
前記排出口に接続された略鉛直方向に延在する排出管と、当該排出管の下端に連通して略水平方向に延在するシール管と、を有し、当該排出口から入った残渣が当該シール管内に滞留することによって、当該排出管を閉塞するマテリアルシール構造を設けたことを特徴とする流動式仮焼炉。
【請求項３】
請求項２に記載の流動式仮焼炉において、
前記マテリアルシール構造は、前記シール管内に滞留した残渣をシール管外へ押し出す押し出し手段を有することを特徴とする流動式仮焼炉。
【請求項４】
請求項１乃至３のいずれか１項に記載の流動式仮焼炉において、
炉内の底部に、複数の孔が開口して形成された多孔板を設け、
当該複数の孔の内の一部の孔または当該複数の孔の間に新たに設けた孔を前記排出口とし、他の孔を炉内に空気を吹き込むための供給孔としたことを特徴とする流動式仮焼炉。
【請求項５】
炉内に燃料及び空気を供給することにより当該炉内の下部に流動層を形成して、セメント原料を仮焼成する流動式仮焼炉の残渣排出方法において、
流動式仮焼炉の運転中に前記流動層を移動する残渣を、炉内の下部に開口させて設けた排出口から外部に排出することを特徴とする流動式仮焼炉の残渣排出方法。
【請求項６】
請求項５に記載の流動式仮焼炉の残渣排出方法において、
前記排出口に接続された略鉛直方向に延在する排出管と、当該排出管の下端に連通して略水平方向に延在するシール管と、を有し、当該排出口から入った残渣が当該シール管内に滞留することによって、当該排出管を閉塞するマテリアルシール構造を設け、
流動式仮焼炉の運転中に、前記排出口から入った残渣が前記排出管を閉塞することにより、前記排出口を通した炉内から外部への気体の流出が抑止されることを特徴とする流動式仮焼炉の残渣排出方法。
【発明の詳細な説明】
【技術分野】
【０００１】
本発明は、セメント製造工程に用いられる流動式仮焼炉に関し、特に、燃料屑等の残渣を炉内から排出する構造を有する流動式仮焼炉及び流動式仮焼炉から残渣を排出する方法に関する。
【背景技術】
【０００２】
セメント製造工程の一例として、粉体状のセメント原料をプレヒーターで予熱し、予熱されたセメント原料を流動式仮焼炉において燃料及び空気等のガスを供給して仮焼成し、仮焼成されたセメント原料をロータリーキルンで焼成してセメントクリンカを生成する方法が知られている。
【０００３】
特開平０６−２８７０３６号公報（特許文献１）には、造粒炉から流動焼成炉に造粒物を投入するセメントクリンカの焼成装置において、造粒物を、造粒炉の底部近傍の側壁に設けられたボトムフロー排出孔より取り出し、該排出孔に接続した排出シュートを介して、焼成炉に投入するいわゆるボトムフロー排出構造を備えることが記載されている。
【０００４】
特開平０６−２８７０４３号公報（特許文献２）には、流動層造粒炉の分散板の下方に流動層焼成炉を設け、前者の流動層に面した落下口を通して造粒物を後者へ投入することによりセメントクリンカを焼成する装置において、分散板のノズルを通って造粒炉内に流入する流動化ガスの流速とは別の流速で上記落下口から造粒炉内にガスを吹き出すことのできる通風手段を設けることが記載されている。
【０００５】
特開平０８−８１２４５号公報（特許文献３）には、予熱されたセメント原料粉を流動層造粒・焼成炉で造粒・焼成した後、造粒・焼成されたクリンカを冷却器に導入するセメントクリンカの焼成方法において、流動層造粒・焼成炉のガス分散板又はガス分散板の延長上に設けられた落下口からクリンカを排出するとともに、流動層の差圧が一定になるようにこの落下口の開口面積をゲートで調整し、この落下口に連なる排出シュートにクリンカを分級・冷却するための空気を吹き込むとともに、落下口から吹き出す空気流速が前記ガス分散板のノズルを通って流入する空気流速と異なるように吹込空気量を調節し、分級・冷却空気吹込位置より下方の気密排出手段を経てクリンカを冷却器１６に導入することが記載されている。
【０００６】
特開平１０−２５９０４３号公報（特許文献４）には、流動層造粒・焼成炉のガス分散板上面の延長上にクリンカ落下口を設け、ガス分散板からクリンカ落下口に至る排出溝部の上側の空間を、クリンカ落下口からガス分散板上側の流動層に向かって断面を徐々に拡大して１次分級部を形成し、小粒子をガス分散板上側の流動層に吹き戻すための２次分級部を形成し、流動層冷却器の下部近傍に冷却用兼流動化空気吹込管を接続し、造粒・焼成されたクリンカを急冷するとともに、小粒子を分級し流動層造粒・焼成炉に戻すための３次分級部を形成し、この３次分級部に気密排出手段を介して冷却器２６を接続することが記載されている。
【０００７】
実用新案登録第２６０５１８７号公報（特許文献５）には、セメントの製造、製鉄、石炭ボイラーなどの各種プラントにおいて粉粒体を気密に排出するための装置として、上方から供給される粉粒体を所定の高さに充填してなるマテリアルシールするための供給シュートと、供給シュートの出口に接続され、供給された粉粒体を底面上に堆積させ、供給シュートの出口を封止した状態で粉粒体を保持する貯槽と、貯槽の下方に接続され、貯槽の底面への開口部が供給シュート出口の封止を保持している粉粒体から粉粒体の移動方向に間隔をあけた位置に設けられる排出シュートと、貯槽の底面上に保持された粉粒体をくずして、粉粒体に排出シュート開口部へ移動させる連続的な横移動力を与える移動機構とを含み、貯槽内で、排出シュートの開口部の上方に設けられ、該開口部を封止可能なプラグを備えたことを特徴とする気密排出装置が記載されている。
【０００８】
特開２０１０−１９４４５７号公報（特許文献６）、特開２０１０−１９４８６０号公報（特許文献７）、特開２０１０−２１４６７７号公報（特許文献８）には、建設廃材系プラスチック廃棄物や、廃自動車シュレッダーダストの様な、多様な異物や不純物が混入している廃プラスチックを含有する混合廃棄物についても、セメント焼成設備の仮焼炉又はロータリーキルンのバーナー吹込み用燃料としてリサイクルできるようにするための処理方法及び処理装置が記載されている。
【０００９】
特開２０１０−１２０７７８号公報（特許文献９）には、過熱蒸気を発生させる過熱蒸気発生装置と、過熱蒸気発生装置から供給される過熱蒸気を用いて廃棄物を乾燥させる乾燥装置と、乾燥処理品を対象として、可燃物と不燃物との選別処理、及びセメント焼成設備への供給場所に応じた選別処理を行う選別装置とを備え、廃棄物を処理してセメント原燃料化するセメント製造用原燃料製造設備が記載されている。
【００１０】
特開２０１２−１５３８８９号公報（特許文献１０）、国際公開２０１０−００１６５１３号公報（特許文献１１）には、プラスチック類、スポンジ類、繊維類、ゴム類及び木質類からなる群より選択される一以上を主成分とする可燃性廃棄物を１次破砕機により粗砕する工程と、可燃性廃棄物に含まれる異物を除去する工程と、異物を除去した粗砕物を２次破砕機により破砕する工程と、破砕物をバーナーに吹き込む工程とを含む、可燃性廃棄物の燃料化方法が記載されている。
【先行技術文献】
【特許文献】
【００１１】
【特許文献１】特開平０６−２８７０３６号公報
【特許文献２】特開平０６−２８７０４３号公報
【特許文献３】特開平０８−８１２４５号公報
【特許文献４】特開平１０−２５９０４３号公報
【特許文献５】実用新案登録第２６０５１８７号公報
【特許文献６】特開２０１０−１９４４５７号公報
【特許文献７】特開２０１０−１９４８６０号公報
【特許文献８】特開２０１０−２１４６７７号公報
【特許文献９】特開２０１０−１２０７７８号公報
【特許文献１０】特開２０１２−１５３８８９号公報
【特許文献１１】国際公開２０１０−００１６５１３号公報
【発明の概要】
【発明が解決しようとする課題】
【００１２】
流動式仮焼炉では、粉体状のセメント原料と燃料及び空気等のガスを供給し、炉内の下部に流動層を形成してセメント原料を仮焼成する。
このため、何らかの原因で比較的大きな塊の残渣が炉内に存在すると、炉内の流動を阻害して、正常な仮焼成に支障をきたすという課題がある。
【００１３】
このような残渣が生じてしまう原因は種々考えられるが、本発明者らの研究により、廃材やプラスチックなどを燃料として用いる場合、それらに含まれている釘等の不燃性異物が炉内に残渣として滞留してしまうことが判った。
また、本発明者らの研究により、炉の耐火物やコーチング、セメント原料の大塊なども炉内に残渣として滞留してしまうことが判った。
すなわち、セメント原料の仮焼成を、廃材やプラスチックなどの燃料を用いて行う場合だけでなく、石炭などの通常の燃料を用いて行う場合にあっても、炉内に残渣が滞留してしまう。
【００１４】
このような残渣が滞留してしまった場合、安定した仮燃焼処理を維持するために、仮焼炉の運転を停止して、残渣を取り除く作業を行なわなければならない。このため、仮焼炉、延いてはセメント製造工程の稼働率が低下して、コスト増大を招いてしまうという課題がある。
【００１５】
本発明は、上記課題に鑑みなされたものであり、仮焼炉の運転中に、炉内の残渣を炉外に排出することができる流動式仮焼炉及び流動式仮焼炉の残渣排出方法を提供することを目的としている。
【課題を解決するための手段】
【００１６】
本発明に係る流動式仮焼炉は、炉内に燃料及び空気を供給してセメント原料を仮焼成する流動式仮焼炉において、炉内の残渣を外部に排出する排出口を、当該炉内の下部に開口させて設けたことを特徴とする。
炉内の底面や底側部といった下部に排出口を開口させたことにより、残渣が炉の下部に滞留する比較的大きな残渣の塊や比較的重い残渣を含むものであっても、炉の運転による流動に伴って移動して、炉の運転中においても開口している排出口から炉外に排出される。
【００１７】
本発明に係る流動式仮焼炉は、前記排出口に接続された略鉛直方向に延在する排出管と、当該排出管の下端に連通して略水平方向に延在するシール管と、を有し、当該排出口から入った残渣が当該シール管内に滞留することによって、当該排出管を閉塞するマテリアルシール構造を設けるのが好ましい。
したがって、流動式仮焼炉の運転中に、前記排出口から入った残渣が前記排出管を閉塞することにより、前記排出口を通した炉内から外部への気体の流出が抑止される。
マテリアルシール構造は、機械式のシール構造ではないので、高温（例えば、８００℃）となる仮焼炉に付設しても、特段の断熱構造を要することなく、排出管を閉塞する機能を支障なく行なうことができる。
【００１８】
また、本発明に係る流動式仮焼炉では、前記マテリアルシール構造は、前記シール管内に滞留した残渣をシール管外へ押し出す押し出し手段を有するのが好ましい。
シール管内に滞留した残渣を適宜シール管外へ押し出すことにより、排出管内に入った残渣をシール管を介して炉外に排出することができる。なお、押し出し手段としては、機械式のものであってもよいが、高熱下においても安定した動作が得られるように、圧縮エアーで残渣を押し出す方式のものが好ましい。
【００１９】
また、本発明に係る流動式仮焼炉は、炉内の底部に、複数の孔が開口して形成された多孔板を設け、当該複数の孔の内の一部の孔または当該複数の孔の間に新たに設けた孔を前記排出口とし、他の孔を炉内に空気を吹き込むための供給孔とするのが好ましい。
これにより、多孔板を通し吹き込む空気により炉内に効率的に流動層を形成することができるとともに、炉の底部に残渣を排出する排出口を設けることができる。
【００２０】
本発明に係る流動式仮焼炉の残渣排出方法は、炉内に燃料及び空気を供給することにより当該炉内の下部に流動層を形成して、セメント原料を仮焼成する流動式仮焼炉の残渣排出方法において、流動式仮焼炉の運転中に前記流動層を移動する残渣を、炉内の下部に開口させて設けた排出口から外部に排出することを特徴とする。
残渣が炉の下部に滞留する比較的大きな残渣の塊や比較的重い残渣を含むものであっても、仮焼炉の運転中に流動に伴って移動して、炉内の底面や底側部といった下部に開口している排出口から炉外に排出される。
【００２１】
また、本発明に係る流動式仮焼炉の残渣排出方法は、前記排出口に接続された略鉛直方向に延在する排出管と、当該排出管の下端に連通して略水平方向に延在するシール管と、を有し、当該排出口から入った残渣が当該シール管内に滞留することによって、当該排出管を閉塞するマテリアルシール構造を設け、流動式仮焼炉の運転中に、前記排出口から入った残渣が前記排出管を閉塞することにより、前記排出口を通した炉内から外部への気体の流出が抑止するのが好ましい。
したがって、前記排出口から入った残渣が前記排出管を閉塞することにより、流動式仮焼炉の運転中に、前記排出口を通した外部への気体の流出が抑止される。
【発明の効果】
【００２２】
本発明に係る流動式仮焼炉及び流動式仮焼炉の残渣排出方法よると、流動式仮焼炉の運転中に、炉内の下部に開口させた排出口から、炉内の残渣を炉外に排出することができる。これにより、仮焼炉を安定して運転することができ、仮焼炉、延いてはセメント製造工程の稼働率を向上させて、コスト低減を実現することができる。
【図面の簡単な説明】
【００２３】
【図１】本発明の一実施形態に係る流動式仮焼炉の全体構成を縦断面で示す概略図である。
【図２】本発明の一実施形態に係る流動式仮焼炉の多孔板部分を示す平面図である。
【図３】本発明の一実施形態に係る流動式仮焼炉の多孔板部分を示す縦断面図である。
【図４】本発明の一実施形態に係るマテリアルシール構造を説明する図である。
【図５】本発明の一実施形態に係る排出口の好ましい位置を説明する図である。
【図６】本発明の他の一実施形態に係る流動式仮焼炉の多孔板部分を示す平面図である。
【図７】本発明の他の一実施形態に係る流動式仮焼炉の多孔板部分を示す側面断面図である。
【発明を実施するための形態】
【００２４】
図１には本発明の一実施形態に係る流動式仮焼炉を示してあり、図２にはその要部の平面図、図３にはその要部の縦断面を示してある。
この流動式仮焼炉は、円筒状の炉体１を備えており、炉内の底部に複数の供給孔２が貫通して設けられた多孔板３を備えている。
なお、本実施形態では、図３に示すように、流動化を促進するため各供給孔２にはノズルプラグ４が設けられているが、図１及び図２においては、構造を明示するためにノズルプラグ４の図示を省略している。
【００２５】
炉体１の下部には一対の流入部５が設けられており、図１中に矢印Ａで示すように、これら流入部５から、図外のＡＱＣからの高温空気が炉内に吹き込み供給される。なお、粉体状のセメント原料及び燃料は、これら空気とは別のルート（図示省略）から炉内に供給される。
また、多孔板３の下部には図外の空気供給管が接続されており、図１中に矢印Ｂで示すように、多孔板３の供給孔２を通して炉内に上方に向けて空気が吹き込み供給される。
【００２６】
これらセメント原料、燃料、高温空気及び空気の吹き込みにより、炉内の下部には流動層６が形成されてセメント原料が仮焼成され、図１中に矢印Ｃで示すように、仮焼成されたセメント原料が炉体１の上部開口から吹き上げ排出されて、図外のロータリーキルンへ供給される。
【００２７】
ここで、上記燃料としては、種々なものを用いることができ、仮焼工程に通常用いられる燃料の他、例えば、石炭粉、廃材やプラスチック廃棄物などを用いることができる。なお、木屑やプラスチック廃棄物から、例えば慣性を利用して重量の大きい釘や金属片を予め除去しておくのが好ましい。
また、流入部５から吹き込む空気は、炉内の流動化や燃焼に必要な空気を供給するものでもあるが、ＡＱＣの排気等のように加熱されたものが好ましい。供給孔２から吹き込む空気についても同様である。
【００２８】
図２及び図３に詳示するように、多孔板３には炉内の残渣を排出するための排出口７が貫通して形成されており、多孔板３の下には排出口７に接続された略鉛直方向に延在する排出管８が設けられ、更に、排出管８の下端に連通して略水平方向に延在するシール管９と、シール管９の先端に連通して略鉛直方向に延在する第２の排出管１０が設けられている。
なお、排出口７は設計に応じて１つ以上の任意の数が多孔板３に設けられ、各排出口に対して排出管８及びシール管９がそれぞれ設けられる。
【００２９】
排出口７は炉内の底面に開口しており、炉内で流動或いは移動する残渣が排出口７内に落ち込む。
このように排出口７が炉内に開口していても、図４に示すように、排出口７から入った残渣が排出管８を落下してシール管９内に滞留することによって、排出管８を閉塞するマテリアルシール構造が構成されており、これによって、流動式仮焼炉の運転中において、炉内の気体の流出を抑制して流動性を阻害することがない。
【００３０】
本実施形態では、排出口７は、供給孔２の内の２つを残渣を排出するに必要な径に加工することで形成しているが、供給孔２が残渣を排出するに必要な径である場合には、このような加工をすることなく供給孔２の内から必要なものを選択して排出口７とすることができる。また、排出口７は、既存の供給孔２の一部を利用する方法の他、多孔板３を孔空け加工して既存の供給孔２の間に新たに形成してもよい。
【００３１】
木屑やプラスチック廃棄物を燃料として用いた上記形式の流動式仮焼炉について、発明者らが炉内に滞留した残渣の大きさを調べたところ、炉内の付着物や耐火物の剥離物が最大外径で１００ｍｍ、金属屑が最長で１００ｍｍ、砂利や原料塊が最大外径で３０ｍｍであった。
この結果によると、排出口７は１００ｍｍ以上の径であるのが好ましい。
【００３２】
図４に示すように、マテリアルシール構造は、シール管９内に滞留した残渣Ｚを押し出して第２の排出管１０へ落とし込んで排除する押し出し手段が設けられている。
本実施形態の押し出し手段は、シール管９の基端に接続された圧送管１１と、電磁弁１２及び減圧弁１３を介して圧送管１１に接続される圧縮エアー源１４と、電磁弁１２を開閉操作する操作盤１５とを有している。
【００３３】
排出管８から落下してきた残渣は、シール管９内でその先端部が或る安息角θを成して滞留するが、排出管８及びシール管９の中に或る程度の量の残渣Ｚが滞留したところで、押し出し手段によりシール管９内に滞留した残渣Ｚを押し出して第２の排出管１０へ落とし込む。
すなわち、操作盤１５を操作して常時閉じている電磁弁１２を開き、圧縮エアー供給源１４からの圧縮エアーを圧送管１１によりシール管９内に吹き込んで、シール管９内に滞留した残渣Ｚを押し出して、残渣が排出管８に落ち込むスペースを確保する。
【００３４】
ここで、押し出し手段による残渣の押し出し動作は、必要に応じて、任意のタイミングで任意の時間行なうことができるが、例えば、次の要領で行なうのが好ましい。
電磁弁１２は開タイマーと閉タイマー（休止タイマー）とで作動させ、開タイマーは０．１秒乃至２．０秒程度、閉タイマーは３０分乃至１２０分程度の作動時間とする。
【００３５】
また、残渣の押し出し動作を行なうタイミングや時間は、燃料の種類等に応じた残渣の発生量に応じる他、残渣Ｚが滞留する排出管８及びシール管９の長さや内径にも応じるものであるが、本実施形態では、排出管８及びシール管９の内径を２５０ｍｍ、排出管８の長さを１０００ｍｍ、シール管９の第２の排出管１０までの長さを７００ｍｍとしている。
このように排出管８をシール管９より長くすることにより、圧損の少ないシール管９から残渣を容易に押し出すことができる。
【００３６】
上記のように押し出し手段による残渣の押し出し動作を適宜行なう場合にあっても、排出管８及びシール管９の径が小さい場合には、排出管８或いはシール管９内の入った残渣Ｚにより配管詰まりが発生してしまう事態が生ずる。
本実施形態の排出管８及びシール管９の内径（２５０ｍｍ）は、上記のように排出口７を好ましい径（１００ｍｍ）とした場合の２．５倍であり、発明者らの検証によって、排出管８及びシール管９の内径を２．５倍以上とすることで、配管詰まりを生じないことが確認された。
【００３７】
炉内の残渣を取り込む排出口７は、流動層内の残渣は常に移動するので、炉内の下部の任意の位置に設けることができ、また、排出口７の個数は残渣の取り込み効率を上げるために複数であるのが好ましい。
排出口７を複数設ける場合には、図５に示すように、多孔板３の中心から排出口７の中心までの長さを、多孔板３の中心から炉の内壁までの長さをＲとして、ｒ／Ｒ＝０．２乃至１．０の範囲で、排出口７を対称に配置するのが好ましく、このように配置することにより、比較的大きな残渣（例えば、１００ｍｍ径の排出口であれば最大径１００ｍｍの残渣）であっても排出口７に効率的に取り込むことができる。
【００３８】
本発明では、炉内の残渣は移動することから、炉の底面（上記の実施形態では、炉の底面を成す多孔板３）に限らず、排出口７を炉の下部の任意の位置に設けることができる。
例えば、図６及び図７に示すように、流動層で移動する残渣は炉壁側に吹き寄せられる傾向があるともいえるので、炉体１の底側部を成す炉壁に排出口７を貫通して設け、この排出口７に略鉛直方向に延在する排出管８を接続し、排出管８の下端にシール管９を連通させてマテリアルシール構造を形成してもよい。
【００３９】
上記のように、流動式仮焼炉の運転中において、炉内に生じた残渣は排出口７に取り込まれるため、仮焼炉の運転を停止させて残渣除去作業を行なわずとも、残渣によって流動層の生成が阻害されてしまう事態を防止することができる。
特に、炉の底面に多孔板３を設けた流動式仮焼炉においては、供給孔２が残渣によって塞がれてしまう事態を防止して、安定した流動層によりセメント原料を仮焼成することができる。
【産業上の利用可能性】
【００４０】
本発明は、上記実施形態に限定されるものではなく、特許請求の範囲に記載した発明の概念に含まれる種々な変更を施して実施することができる。
本発明は、その形式にかかわらず、炉内に燃料及び空気を供給してセメント原料を仮焼成する流動式仮焼炉に広く適用することができるが、特に、金属屑等の残渣が生じやすい廃棄物を燃料として用いる流動式仮焼炉に適用して好適である。
【符号の説明】
【００４１】
１・・・炉体、
２・・・供給孔、
３・・・多孔板、
６・・・流動層、
７・・・排出口、
８・・・排出管８、
９・・・シール管９、
１１・・・圧送管、
１２・・・電磁弁、
１３・・・減圧弁、
１４・・・圧縮エアー源、
１５・・・操作盤、
Ｚ・・・残渣
【図１】
2015089857.tif 000003
【図２】
2015089857.tif 000004
【図３】
2015089857.tif 000005
【図４】
2015089857.tif 000006
【図５】
2015089857.tif 000007
【図６】
2015089857.tif 000008
【図７】
2015089857.tif 000009